(57)【特許請求の範囲】
【請求項１】
管状袋材料が横方向に密封されかつ切断されるとき製品の別々の袋が形成されるように製品が供給される管状袋材料上に４つの長手方向フランジを形成するのを助けるための包装形成支援装置において、前記管状袋材料の折り目がそれに沿って予め定めた方向に通過するスロットを設けており、かつ前記折り目を加熱するために前記スロットに熱いガスの供給を可能にするように前記スロットに面している開口を有しているベース；前記折り目に熱いガスを供給するための導管；および前記折り目を形成している前記袋の長手方向に延びている部分が前記フランジを形成するために付着するように前記加熱された折り目に圧力を印加するための圧力装置を有する構体を含んでいることを特徴とする包装形成支援装置。
【請求項２】
前記ベースが圧力下の空気がその中に供給される室を含み、前記導管が前記空気を受容するように前記開口から前記室に延びており、そして前記装置が、さらに、前記ベース内に取り付けられかつ前記室を通過している空気を加熱するように電気的に作動される加熱要素を含んでいることを特徴とする請求項１に記載の包装形成支援装置。
【請求項３】
前記圧力装置が前記予め定めた方向に前記スロットの下流に位置決めされた１対のローラであることを特徴とする請求項２に記載の包装形成支援装置。
【請求項４】
前記スロットが１対の対向して略平行に長手方向に延びている側壁間に画成され、各側壁が複数の前記開口を有していることを特徴とする請求項３に記載の包装形成支援装置。
【発明の詳細な説明】
【０００１】
【発明の属する技術分野】
本発明は、長尺のチューブ状袋材料に内容物の製品が供給され、その後横断方向に密封されかつ切断されることで製品の別々の袋が形成されるように成したチューブ状袋材料上に複数の長手方向フランジを形成するのを助けるための包装体形成支援装置に関する。
【０００２】
【従来の技術】
プラスチツクフィルムがローラから外されかつ巻型に供給される包装装置が知られている。巻型はプラスチツクフィルムをチューブ状形状に形成する。チューブ状袋材料は次いでフィルムの長手方向縁部が密封して接合されかつ製品がチューブ状袋材料の内部に供給される包装組立体に通る。チューブ状袋材料は次いで横方向に密封されかつ別々の包装を形成するように切断される。
【０００３】
かかる包装装置（機械）はアメリカ合衆国特許第４，６６３，９１７号、同第６，１５８，２００号および同第４，９１０，９４３号に記載されている。
【０００４】
【発明が解決しようとする課題】
隅部フランジを備えた正方形または略矩形断面形状を備えた袋に関する要求がある。伝統的な連続式垂直型包装体成形、充填および密封装置はかかる形状を有する包装体を製造するような配慮は払われていない。
【０００５】
本発明の目的は、上述した包装体の成形を支援する装置の欠点を克服または実質上改善することにある。
【０００６】
【課題を解決するための手段】
本書において開示されるのは、管状袋材料が横方向に密封されかつ切断されるとき製品の別々の袋が形成されるように製品が供給される管状袋材料上に４つの長手方向フランジを形成するのを助けるための包装形成支援装置において、前記管状袋材料の折り目がそれに沿って予め定めた方向に通過するスロットを設けており、かつ前記折り目を加熱するために前記スロットに熱いガスの供給を可能にするように前記スロットに面している開口を有しているベース；前記折り目に熱いガスを供給するための導管；および前記折り目を形成している前記袋の長手方向に延びている部分が前記フランジを形成するために付着するように前記加熱された折り目に圧力を印加するための圧力装置を有する構体を含んでいる包装形成支援装置である。
【０００７】
本発明の好適な実施の形態を以下で添付図面に基づいて例として説明する。
【０００８】
【発明の実施の形態】
図１において、チューブ状袋材料１２上に少なくとも１つのフランジ１１の形成を支援するための機械（装置）１０が略示されている。この実施の形態のチューブ状袋材料１２は矩形の横断面からなりかつ４つの長手方向に延びる隅部折り目１３があるように巻型から装置１０に供給される。各折り目１３は長手方向に延びている袋襞部分１４を含んでいる。袋襞部分１４は長手方向に延びるフランジ１１を形成するように互いに付着する。
【０００９】
袋を形成するのに、製品はチューブ状袋材料１２の内部１５に供給され、そして袋材料１２は横断方向に切断されかつ製品の別々の袋を形成するように横断方向に密封される。
【００１０】
本装置１０は、少なくとも１本のダクト１８を介してその中に加圧空気が供給される室１７を有する概ね中空なベース１６を備えた組立体で構成される。ベース１６には、その内方に向かって延びるワイヤ２０を介して電源に接続された電気的に加熱される加熱要素１９が取着されている。
【００１１】
ベース１６は、チューブ状袋材料１２が矢印２６の方向に沿ってその内部を移動する長手方向に延びるスロット２２を穿設された開口付き部材２１を含んでいる。チューブ状袋材料１２は、典型的な例として、関連の包装機械によって引っ張られるローラまたはベルトによってこのスロット内に持ち来たされかつ係合される。
【００１２】
開口付き部材２１はスロット２２を画成する平行な側壁２３を有し、その壁２３には、ダクトを介して室１７と熱い空気を送り出すために連通する複数の開口２４が各々穿設されている。熱い空気が圧力下にあるとき、熱い空気の噴流は開口２４から出ている。熱い空気は、袋材料１４の折り目１３を加熱するために、これら折り目１３に衝突する。この実施の形態において、折り目１３は、圧力装置を構成する１対の協働ローラ２７の間を通って下方に送り出される。典型的な例として、これら１対のローラ２７は挟まれる折り目１３に印加する圧力をかかる袋材料および加熱条件に適合するように調整されている。
【００１３】
上述した好適な実施の形態において、装置１０においては１つの組立体のみが記載されている。これに関連して理解されることは、装置１０は折り目１３の各々に関してその数に見合った数の組立体２８を必要とするということである。しかしながら、他の形状の包装体形成において、組立体の数は変化する。例えば、２つの組立体が「立ち上がりベース」または六角形の包装体を形成するのに使用することができる。
【００１４】
【発明の効果】
叙上のごとく、本発明は、管状袋材料が横方向に密封され切断されるとき製品の別々の袋が形成されるように製品が供給される管状袋材料上に４つの長手方向フランジを形成するのを助けるための包装形成支援装置において、前記管状袋材料の折り目がそれに沿って予め定めた方向に通過するスロットを設けており、かつ前記折り目を加熱するために前記スロットに熱いガスの供給を可能にするように前記スロットに面している開口を有しているベース；前記折り目に熱いガスを供給するための導管；および前記折り目を形成している前記袋の長手方向に延びている部分が前記フランジを形成するように付着するように前記加熱された折り目に圧力を印加するための圧力装置を有する構体を含んでいる構成としたので、従来装置の欠点を克服または改善することができる包装形成支援装置を提供することができる。
【図面の簡単な説明】
【図１】  チューブ状袋部材上に長手方向に延びるフランジを形成するのを支援するための装置を略示する斜視図である。
【符号の説明】
１０  包装体形成支援装置
１１  フランジ
１２  チューブ状袋材料
１３  折り目
１４  長手方向に延びる袋襞部分
１５  チューブ状袋材料の内部
１６  ベース
１７  室
１８  ダクト
１９  加熱要素
２０  ワイヤ
２１  開口付き部材
２２  長手方向に延びるスロット
２３  側壁
２４  開口
２５  圧力装置
２７  協働ローラ
【図１】
0003821743.tif 000002